(57)【要約】【課題】  比較的簡単な構成で、しかも携帯容易なペット用糞回収具を提供する。【解決手段】  ペットの糞を掬うシート材１１と、シート材１１の端部を保持し、かつシート材１１を収納できる袋体２６の底部を保持可能な把持部１７、及び把持部１７に連接する握り部１３を備えた把手部材１２とを有し、しかも、把手部材１２の先部にはシート材１１を溝形状に押圧保持するガイド部が設けられている。これにより、握り部１３を備えた把手部材１２を持って、容易にシート材１１でペットの糞を掬い上げて、糞の回収ができる。【選択図】        図１
2006254723.tif 000002
【特許請求の範囲】
【請求項１】
ペットの糞を掬うシート材と、
前記シート材の端部を保持し、かつ該シート材を収納できる袋体の底部を保持可能な把持部、及び該把持部に連接する握り部を備えた把手部材とを有することを特徴とするペット用糞回収具。
【請求項２】
請求項１記載のペット用糞回収具において、前記把手部材の先部には前記シート材を溝形状に保持するガイド部が設けられ、前記把持部には弾性部材によって付勢され前記シート材を押圧する押圧片を備えていることを特徴とするペット用糞回収具。
【請求項３】
請求項２記載のペット用糞回収具において、前記押圧片はクリップの一部からなって、前記押圧片の他の片側が前記把手部材の中間部に固定されていることを特徴とするペット用糞回収具。
【請求項４】
請求項２及び３のいずれか１項に記載のペット用糞回収具において、前記ガイド部は、前記把手部材の拡幅された先部の両側に設けられた突出壁を有することを特徴とするペット用糞回収具。
【請求項５】
請求項１記載のペット用糞回収具において、前記把手部材の先部には前記シート材の基側を溝形状に保持するガイド部が設けられ、更に、前記把持部は下側面が前記ガイド部と連通し、前記シート材の端部及び前記袋体の底部が嵌入可能な隙間によって形成されていることを特徴とするペット用糞回収具。
【請求項６】
請求項５記載のペット用糞回収具において、少なくとも前記隙間を構成する前記下側面及びこれに対向する上側面には滑り止めが形成されていることを特徴とするペット用糞回収具。
【発明の詳細な説明】
【技術分野】
【０００１】
本発明は、ペット、例えば犬等の糞を回収するペット用糞回収具に係り、特に、糞を回収すると共に、ビニール製の袋体等に容易に収納可能なペット用糞回収具に関する。
【背景技術】
【０００２】
例えば、特許文献１や特許文献２に記載されているように、把手付きの略円形の環と、この環に固定するビニール等の袋体とを有する犬の糞回収具が知られている。また、特許文献３に記載のように、回収袋を用意しこの回収袋を開いて犬に糞をさせ、糞をさせた後は閉じる糞回収具も提案されている。
【０００３】
【特許文献１】特開２００４−２４２５２０号公報（図１〜図３）
【特許文献２】特開２００３−００９７０７号公報
【特許文献３】特開２００３−０２３９００号公報
【発明の開示】
【発明が解決しようとする課題】
【０００４】
しかしながら、特許文献１や特許文献２に記載のように、袋体の装着された略円形の環で犬の糞を掻き取る場合には、環の部分と路面（又は地面）との馴染みが悪く、別の道具、例えば棒等で糞を袋体が装着された環の中に押してやらなければ糞の回収がしにくいという問題があった。
また、特許文献３に記載のような糞回収具においては、犬が所定の回収袋の中で糞をするとは限らず、従って回収袋を傾ける等して糞を掬い取る必要もあり、極めて手間であるという問題があった。
本発明はかかる事情に鑑みてなされたもので、比較的簡単な構成で、しかも携帯容易なペット用糞回収具を提供することを目的とする。
【課題を解決するための手段】
【０００５】
前記目的に沿う本発明に係るペット用糞回収具は、ペットの糞を掬うシート材と、前記シート材の端部を保持し、かつ該シート材を収納できる袋体の底部を保持可能な把持部、及び該把持部に連接する握り部を備えた把手部材とを有する。ここで、把持部はクリップのようにシート材の端部を挟持するもの、又は隙間のようにシート材の端部を差し込むものであってもよい。これによってシート材でペットの糞を掬い、そのままの状態で袋体（例えば、透明なビニール袋）をひっくり返して糞及びシート材をくるむことができる。なお、シート材は通常は紙材（例えば、使い捨て広告用紙）を使用するが、例えばプラスチックであってもよく、特別な場合には、薄い金属板（例えば、アルミニウム箔）等であってもよく、本発明はこれらの材質に限定されない。
【０００６】
このペット用糞回収具において、前記把手部材の先部には前記シート材を溝形状に保持するガイド部が設けられ、前記把持部には弾性部材によって付勢され前記シート材を押圧する押圧片を備えているのが好ましい。これによって、シート材を確実に止めることができると共に、シート材を溝形状にしてその曲げ強度を向上させることができる。
【０００７】
また、このペット用糞回収具において、前記押圧片はクリップの一部からなって、前記押圧片の他の片側が前記把手部材の中間部に固定されているものであってもよい。
そして、このペット用糞回収具において、前記ガイド部は、前記把手部材の拡幅された先部の両側に設けられた突出壁を有するものを使用するのが好ましい。これによって、シート材が溝形状に保持されて、より曲げ強度が高まる。
【０００８】
そして、このペット用糞回収具において、前記把手部材の先部には前記シート材の基側を溝形状に保持するガイド部が設けられ、更に、前記把持部は下側面が前記ガイド部と連通し、前記シート材の端部及び前記袋体の底部が嵌入可能な隙間によって形成されているものであってもよい。このペット用糞回収具において、少なくとも前記隙間を構成する前記下側面及びこれに対向する上側面には滑り止めが形成されているものがよい。これによってシート材の保持がよくなる。
【発明の効果】
【０００９】
請求項１〜６記載のペット用糞回収具は、シート材とこのシート材の端部を保持可能な把持部を有する把手部材とを有するので、シート材で糞を掬い上げることができる。この場合、シート材の端部を持つのではなく、握り部を備えた把手部材を持つので容易にペットの糞の回収ができる。
そして、シート材を包む袋体の底部をシート材と共に把手部材に取付けた場合には、シート材で糞を掬い上げた後、袋体内に収納できる。
【００１０】
特に、請求項２記載のペット用糞回収具においては、把手部材の先部にはシート材を溝形状に保持するガイド部が設けられ、把持部には弾性部材によって付勢されシート材を押圧する押圧片を備えているので、シート材が溝形状となって溝方向の曲げ強度が向上し、より薄いシート材で糞を掬い上げることが可能となる。
【００１１】
請求項３記載のペット用糞回収具においては、押圧片はクリップの一部からなって、押圧片の他の片側が把手部材の中間部に固定されているので、例えば、市販のクリップを使用してこのペット用糞回収具を構成できる。
また、請求項４記載のペット用糞回収具においては、ガイド部は、把手部材の拡幅された先部の両側に設けられた突出壁からなっているので、シート材の両側が持ち上がり、溝形状に曲げられた形状となる。
【００１２】
請求項５記載のペット用糞回収具においては、把手部材の先部にはシート材の基側を溝形状に保持するガイド部が設けられ、更に、把持部は下側面がガイド部と連通し、シート材の端部及び袋体の底部が嵌入可能な隙間によって形成されているので、シート材及び袋体の底部が容易に隙間に嵌入し、これによってシート材の端部に把手部材を付けて糞を掬い上げることができる。
そして、請求項６記載のペット用糞回収具は、少なくとも隙間を構成する下側面及びこれに対向する上側面には滑り止めが形成されているので、装着したシート材及び袋体が外れにくいという利点がある。
【発明を実施するための最良の形態】
【００１３】
続いて、添付した図面を参照しつつ、本発明を具体化した実施の形態につき説明し、本発明の理解に供する。
ここで、図１は本発明の第１の実施の形態に係るペット用糞回収具の平面図、図２（Ａ）、（Ｂ）はそれぞれ同ペット用糞回収具の側面図、図３は同ペット用糞回収具の部品の斜視図である。図４（Ａ）〜（Ｄ）はガイド部とシート材の溝形状との関係を示す説明図、図５（Ａ）〜（Ｃ）はそれぞれ本発明の第２の実施の形態に係るペット用糞回収具の把手部材の側面図、平面図、正面図であり、図６（Ａ）、（Ｂ）は同ペット用糞回収具の使用状態の説明図である。
【００１４】
図１〜図３に示すように本発明の一実施の形態に係るペット用糞回収具１０は、矩形のシート材１１と、把手部材１２とを有している。以下、これらについて詳しく説明する。
シート材１１は例えば折り込み広告などで使用される０．１〜０．５ｍｍ厚の西洋紙からなって、その大きさは例えば、（１２〜１８ｃｍ）×（１５〜２５ｃｍ）程度となっている。なお、更に厚めのボール紙や段ボール紙であっても当然本発明は適用される（以下の実施の形態においても同じ）。
【００１５】
前記把手部材１２は、板状となってその素材はプラスチック（例えば、ＡＢＳ、塩化ビニール、ＰＰ）又は木等からなって、握り部１３を基側に、拡幅した中間部にクリップ取付け部１４を、中間部から先側にかけて幅広溝形部１５を備える把手本体１６（図３参照）と、この把手本体１６に取付けられるクリップ１７（把持部の一例）とを有している。握り部１３は中央に幅狭で、その部分には滑り止めとなる帯状の突出部１８が設けられて、基部には掛止孔１９が設けられている。
握り部１３から先側は、例えば５〜８ｃｍ程度に拡幅し、この部分に市販のクリップ１７の片側の押圧片２０が嵌入するようになっている。この市販のクリップ１７は対となる押圧片２０、２１が回動可能に連結され、基側に設けられたＵ字状の板バネ（弾性部材の一例）２２によって先端側が閉じるように付勢されている。
【００１６】
このクリップ１７の押圧片２０は把手本体１６のクリップ取付け部１４に例えば接着剤によって接合されている。
幅が５〜８ｃｍの幅広溝形部１５は、この部分に載置されたシート材１１を溝形状に折り曲げるためのガイド部となるもので、両側に突出壁２３、２４を備えている。突出壁２３、２４の高さは先側に徐々に高くなって、中央部を溝底部２５に押圧されたシート材１１をより効率よく溝形状に折り曲げる構造となっている（例えば、図４（Ａ）参照）。なお、クリップ１７の先端から幅広溝形部１５の先端までの長さａは１．５〜４ｃｍとしている。
【００１７】
このペット用糞回収具１０の使用方法について説明すると、所定の大きさのシート材１１と樹脂製の袋体２６（寸法は１５〜２０ｃｍ×２０〜３０ｃｍ）を用意し、袋体２６の中にシート材１１を底部まで入れ込んだ状態で、図２（Ｂ）に示すようにクリップ１７によって袋体２６の底部をシート材１１と共に挟持する。この状態で、袋体２６を裏返して、図２（Ａ）に示すように把手部材１２を袋体２６で包み、シート材１１を露出させるようにする。シート材１１はクリップ１７の押圧片２１で押圧されるので、幅広溝形部１５の中心側に接し、シート材１１の両側は突出壁２３、２４の上に載って、シート材１１が溝形状に折り曲げられる。シート材１１が溝形状になるとシート材１１の溝方向（即ち、長手方向）の曲げ強度が増加し、シート材１１の上に糞が載っても容易に曲がらない。また、シート材１１の両側が持ち上がるので、内側に載った糞が側方に溢れ落ちない作用効果を有する。
この状態で、握り部１３を掴んでペット（例えば、犬）の糞を溝形状になったシート材１１で掬い取る。この後、袋体２６を元の状態に戻すと、シート材１１と回収した糞は袋体２６の中に納まるので、袋体２６の下部をクリップ１７から外して糞及びシート材１１の入った袋体２６が得られる。
なお、以上の実施の形態においては、クリップ１７は市販のものを使用したが、シート材を押し付ける押圧片が把手本体に対して回動可能に取付けられている構造のものであれば、他の構成のものを使用できる。この場合、クリップ１７と同じく押圧片の中間部が把手本体に回動自在に取付けられ、押圧片の先部が弾性部材によって付勢されてシート材を押圧固定し、押圧片の基側を指で押すとシート材を押圧している押圧片の先側が開く構造のものを使用するのが好ましい。
【００１８】
図４（Ａ）〜（Ｄ）には、シート材１１を溝形状にするガイド部の種々の例を示す。図４（Ａ）は図１〜図３に示すペット用糞回収具１０のものと実質的に同一構造のもので、前述のように、両側に突出壁２３、２４を有する幅広溝形部１５を有して、両側の突出壁２３、２４及びその間の溝底部２５及び押圧片２１でシート材１１を溝形状に折り曲げている。
図４（Ｂ）はガイド部を構成する突出壁２８、２９が側方に開いた構造のもので、押圧片２１で袋体１１を押すと、袋体１１が上側に開いた溝形状になる。
図４（Ｃ）はガイド部を構成する両側の底板部３０、３１がＶ字形となって、押圧片３２もこの底板部３０、３１に合わせて谷形状となったもので、この場合のシート材１１は断面Ｖ字状となる。
図４（Ｄ）はガイド部を構成する底板部３４が湾曲し、押圧片３３も底板材３４に合わせて湾曲させたもので、挟持されるシート材１１も湾曲している。
以上のいずれの例であっても、シート材１１が湾曲するので、溝方向の曲げ強度が向上し、しかも、掬い上げた糞が外側に漏れない。
【００１９】
続いて、図５、図６を参照しながら、本発明の第２の実施の形態に係るペット用糞回収具３６について説明する。
図５（Ａ）、（Ｂ）、（Ｃ）、図６に示すように、本発明の第２の実施の形態に係るペット用糞回収具３６は、シート材１１と、把手部材３７とを有している。把手部材３７はプラスチック又は木（場合によっては金属、セラミックス）からなって、基側に握り部３８が、中間位置にシート材１１の後ろ側端部（即ち、基側）を袋体２６と共に差し込む隙間３９（把持部の一例）が設けられ、先側には、シート材１１を溝形状に屈曲させるガイド部４０を有している。
把手部材３７の後端部には掛止用リング４１が設けられ、握り部３８の高さｅは２．５〜４ｃｍ、幅ｆは３〜４ｃｍ程度、その長さｃは５〜８ｃｍ程度となっている。ガイド部４０の幅ｇは６〜８ｃｍ、その長さｄは４〜７ｃｍ程度となっている。隙間３９の間隔は１．５〜２ｍｍ、その長さ（奥行き）は１．５〜２．５ｃｍ程度となっている。なお、隙間３９の入口側の上側壁には面取り４２がなされ、シート材１１等の挿入が容易となっている。
図５（Ｃ）に示すように、ガイド部４０は湾曲し、曲率半径が３．５〜５ｃｍ程度となって、図５（Ｂ）に示すように平面視して、先側が半円状になっている。
【００２０】
このペット用糞回収具３６について説明すると、図６（Ａ）に示すように、シート材１１を底部まで入れ込んで収納した合成樹脂製（紙袋であってもよい）の袋体２６の底部中央を、把手部材３７の隙間３９内に挿入する。この状態で、袋体２６を裏返し、シート材１１を露出させる。図６（Ｂ）に示すように、シート材１１はガイド部４０によって支持されているので、溝形形状（即ち、湾曲形状）となり、溝方向の曲げ強度が大きくなる。
握り部３８の部分を手で持つと、シート材１１と把手部材３７で構成されるペット用糞回収具３６がショベル状となって、糞を掬うことができる。この場合、シート材１１の先部はショベルとは異なり直線状となっているので、より糞を掬い易いという利点がある。
糞を掬った後は、裏返した袋体２６を元の状態に戻すと、シート材１１に載った糞が袋体２６内にシート材１１と共に収納される。この後、シート材１１を隙間３９から外して、捨てることになる。なお、把持部を形成する隙間の下側面及びこれに対向する上側面、更にはその周囲も含む領域（図５（Ｂ）に示す領域Ｐ）に、例えば、凹凸、断面鋸状の溝、突起、又はすりガラス状の表面加工からなる滑り止めを形成してもよい。
【００２１】
前記実施の形態においては、理解を容易にするため、具体的な数字（寸法）を基づいて説明したが、本発明はこの数字に限定されるものではなく、本発明の要旨を変更しない範囲での寸法の変更を行うことは自由である。
【図面の簡単な説明】
【００２２】
【図１】本発明の第１の実施の形態に係るペット用糞回収具の平面図である。
【図２】（Ａ）、（Ｂ）はそれぞれ同ペット用糞回収具の側面図である。
【図３】同ペット用糞回収具の部品の斜視図である。
【図４】（Ａ）〜（Ｄ）はガイド部とシート材の溝形状との関係を示す説明図である。
【図５】（Ａ）〜（Ｃ）はそれぞれ本発明の第２の実施の形態に係るペット用糞回収具の把手部材の側面図、平面図、正面図である。
【図６】（Ａ）、（Ｂ）は同ペット用糞回収具の使用状態の説明図である。
【符号の説明】
【００２３】
１０：ペット用糞回収具、１１：シート材、１２：把手部材、１３：握り部、１４：クリップ取付け部、１５：幅広溝形部、１６：把手本体、１７：クリップ、１８：突出部、１９：掛止孔、２０、２１：押圧片、２２：板バネ、２３、２４：突出壁、２５：溝底部、２６：袋体、２８、２９：突出壁、３０、３１：底板部、３２：押圧片、３３：押圧片、３４：底板材、３６：ペット用糞回収具、３７：把手部材、３８：握り部、３９：隙間、４０：ガイド部、４１：掛止用リング、４２：面取り
【図１】
2006254723.tif 000003
【図２】
2006254723.tif 000004
【図３】
2006254723.tif 000005
【図４】
2006254723.tif 000006
【図５】
2006254723.tif 000007
【図６】
2006254723.tif 000008